(57)【特許請求の範囲】
【請求項１】
画像取得部と、
自機の位置情報を取得する通信部と、
前記画像取得部により取得される画像を表示する表示部と、
前記画像取得部により取得される画像を動画または静止画ファイルとして記憶させる記憶部と、
自機の周囲環境が水中であると検出すると、自機を水中モードに設定する制御部と、を有し、
前記制御部は、前記水中モードの設定中に前記画像取得部で画像を取得したとき、
自機の周囲環境が水中であることを検出する直前に取得した前記位置情報の取得時刻が、前記周囲環境が水中であると検出した時刻を基準とする所定の範囲内にある場合、前記画像取得部により取得される画像の動画または静止画ファイルに、自機の周囲環境が水中であることを検出する直前に取得した前記位置情報を関連付けて前記記憶部に記憶させ、
自機の周囲環境が水中であることを検出する直前に取得した前記位置情報の取得時刻が、前記周囲環境が水中であると検出した時刻を基準とする所定の範囲内にない場合、前記画像取得部により取得される画像の動画または静止画ファイルを、位置情報の取得用フラグに関連付けて前記記憶部に記憶させる電子機器。
【請求項２】
ユーザの移動状態を検出するための状態判別センサを有し、
前記制御部は、自機の周囲環境が水中であることを検出する直前に取得した前記位置情報の取得後の前記ユーザの移動状態を前記状態判別センサに基づいて検出し、検出した前記ユーザの移動状態に基づいて、自機の周囲環境が水中であることを検出する直前に取得した前記位置情報の確からしさを判定し、
自機の周囲環境が水中であることを検出する直前に取得した前記位置情報の確からしさが所定の範囲を満たす場合、前記画像取得部により取得される画像の動画または静止画ファイルに、自機の周囲環境が水中であることを検出する直前に取得した前記位置情報を関連付けて前記記憶部に記憶させ、
自機の周囲環境が水中であることを検出する直前に取得した前記位置情報の確からしさが所定の範囲にない場合、前記画像取得部により取得される画像の動画または静止画ファイルを、位置情報の取得用フラグに関連付けて前記記憶部に記憶させる請求項１に記載の電子機器。
【請求項３】
画像取得部と、
自機の位置情報を取得する通信部と、
前記画像取得部により取得される画像を表示する表示部と、
前記画像取得部により取得される画像を動画または静止画ファイルとして記憶させる記憶部と、
ユーザの移動状態を検出するための状態判別センサと、
自機の周囲環境が水中であると検出すると、自機を水中モードに設定する制御部と、を有し、
前記制御部は、前記画像取得部で画像を取得すると、自機の周囲環境が水中であることを検出する直前に取得した前記位置情報の取得後の前記ユーザの移動状態を前記状態判別センサに基づいて検出し、検出した前記ユーザの移動状態に基づいて、自機の周囲環境が水中であることを検出する直前に取得した前記位置情報の確からしさを判定し、
自機の周囲環境が水中であることを検出する直前に取得した前記位置情報の確からしさが所定の範囲を満たす場合、前記画像取得部により取得される画像の動画または静止画ファイルに、自機の周囲環境が水中であることを検出する直前に取得した前記位置情報を関連付けて前記記憶部に記憶させ、
自機の周囲環境が水中であることを検出する直前に取得した前記位置情報の確からしさが所定の範囲にない場合、前記画像取得部により取得される画像の動画または静止画ファイルを、位置情報の取得用フラグに関連付けて前記記憶部に記憶させる電子機器。
【請求項４】
前記制御部は前記位置情報の取得用フラグが添付された動画または静止画ファイルを前記記憶部に記憶しており、かつ、前記水中モードの設定後に自機の周囲環境が水中でないと検出した場合、
自機の位置情報を取得し、取得した前記自機の位置情報を前記位置情報の取得用フラグに関連付けられた動画または静止画ファイルに関連付ける請求項１から３のいずれか一項に記載の電子機器。
【請求項５】
水中で使用可能な撮像部を有する電子機器を制御する画像データ保存方法であって、
自機の位置情報を取得するステップと、
自機が水に浸かっているかを判定し、水に浸かっていると判定すると、水中モードに設定するステップと、
前記水中モードの設定中であるとき、画像データを撮影で取得すると、
自機の周囲環境が水中であることを検出する直前に取得した前記位置情報の取得時刻が、前記周囲環境が水中であると検出した時刻を基準とする所定の範囲内にある場合、画像取得部により取得される画像の動画または静止画ファイルに、自機の周囲環境が水中であることを検出する直前に取得した前記位置情報を関連付けて記憶させ、
自機の周囲環境が水中であることを検出する直前に取得した前記位置情報の取得時刻が、前記周囲環境が水中であると検出した時刻を基準とする所定の範囲内にない場合、
前記画像取得部により取得される画像の動画または静止画ファイルを、位置情報の取得用フラグに関連付けて記憶させるステップと、を含む画像データ保存方法。
【請求項６】
水中で使用可能な撮像部を有する電子機器を制御する画像データ保存方法であって、
自機の位置情報を取得するステップと、
自機が水に浸かっているかを判定し、水に浸かっていると判定すると、水中モードに設定するステップと、
前記水中モードの設定中であるとき、画像データを撮影で取得すると、
自機の周囲環境が水中であることを検出する直前に取得した前記位置情報の取得後のユーザの移動状態を検出し、検出した前記ユーザの移動状態に基づいて、自機の周囲環境が水中であることを検出する直前に取得した前記位置情報の確からしさを判定し、
自機の周囲環境が水中であることを検出する直前に取得した前記位置情報の確からしさが所定の範囲を満たす場合、
画像取得部により取得される画像の動画または静止画ファイルに、自機の周囲環境が水中であることを検出する直前に取得した前記位置情報を関連付けて記憶部に記憶させ、
自機の周囲環境が水中であることを検出する直前に取得した前記位置情報の確からしさが所定の範囲にない場合、
前記画像取得部により取得される画像の動画または静止画ファイルを、位置情報の取得用フラグに関連付けて記憶させるステップと、を含む画像データ保存方法。
【請求項７】
水中で使用可能な撮像部を有する電子機器に
自機の位置情報を取得するステップと、
自機が水に浸かっているかを判定し、水に浸かっていると判定すると、水中モードに設定するステップと、
前記水中モードの設定中であるとき、画像データを撮影で取得すると、
自機の周囲環境が水中であることを検出する直前に取得した前記位置情報の取得時刻が、前記周囲環境が水中であると検出した時刻を基準とする所定の範囲内にある場合、
画像取得部により取得される画像の動画または静止画ファイルに、自機の周囲環境が水中であることを検出する直前に取得した前記位置情報を関連付けて記憶させ、
自機の周囲環境が水中であることを検出する直前に取得した前記位置情報の取得時刻が、前記周囲環境が水中であると検出した時刻を基準とする所定の範囲内にない場合、
前記画像取得部により取得される画像の動画または静止画ファイルを、位置情報の取得用フラグに関連付けて記憶させるステップと、を実行させる画像データ保存プログラム。
【請求項８】
水中で使用可能な撮像部を有する電子機器に、
自機の位置情報を取得するステップと、
自機が水に浸かっているかを判定し、水に浸かっていると判定すると、水中モードに設定するステップと、
前記水中モードの設定中であるとき、画像データを撮影で取得すると、
自機の周囲環境が水中であることを検出する直前に取得した前記位置情報の取得後のユーザの移動状態を検出し、検出した前記ユーザの移動状態に基づいて、自機の周囲環境が水中であることを検出する直前に取得した前記位置情報の確からしさを判定し、
自機の周囲環境が水中であることを検出する直前に取得した前記位置情報の確からしさが所定の範囲を満たす場合、画像取得部により取得される画像の動画または静止画ファイルに、自機の周囲環境が水中であることを検出する直前に取得した前記位置情報を関連付けて記憶部に記憶させ、
自機の周囲環境が水中であることを検出する直前に取得した前記位置情報の確からしさが所定の範囲にない場合、前記画像取得部により取得される画像の動画または静止画ファイルを、位置情報の取得用フラグに関連付けて記憶させるステップと、を実行させる画像データ保存プログラム。
【発明の詳細な説明】
【技術分野】
【０００１】
本出願は、電子機器、画像データ保存方法及び画像データ保存プログラムに関する。
【背景技術】
【０００２】
携帯通信機器の電子機器には、防水性を有するものがある。例えば、特許文献１には、開口部が形成された筐体にキャップを装着することによって防水性を確保する携帯電子機器が開示されている。また、特許文献２には、撮影して取得した画像データに位置情報を対応付けて保存することが記載されている。
【先行技術文献】
【特許文献】
【０００３】
【特許文献１】特開２０１３−１５０３５５号公報
【特許文献２】特許第５２６２６９５号公報
【発明の概要】
【発明が解決しようとする課題】
【０００４】
防水性を有する電子機器は、水中で画像を取得する場合がある。また、電子機器には、撮影した画像に位置情報を付加して画像の利便性を向上させる機能を備えるものがある。ここで、水中は、空中よりも信号が減衰するため、信号を受信して位置を検出する機能の場合、位置を検出できない場合がある。
【０００５】
上記のことから、より利便性の高い画像データを取得できることができる電子機器、画像データ保存方法及び画像データ保存プログラムに対するニーズがある。
【課題を解決するための手段】
【０００６】
１つの態様に係る電子機器は、画像取得部と、自機の位置情報を取得する通信部と、前記画像取得部により取得される画像を表示する表示部と、前記画像取得部により取得される画像を動画または静止画ファイルとして記憶させる記憶部と、自機の周囲環境が水中であると検出すると、自機を水中モードに設定する制御部と、を有する。前記制御部は、前記水中モードの設定中に前記画像取得部で画像を取得したとき、自機の周囲環境が水中であることを検出する直前に取得した前記位置情報の取得時刻が、前記周囲環境が水中であると検出した時刻を基準とする所定の範囲内にある場合、前記画像取得部により取得される画像の動画または静止画ファイルに、自機の周囲環境が水中であることを検出する直前に取得した前記位置情報を関連付けて前記記憶部に記憶させる。前記制御部は、自機の周囲環境が水中であることを検出する直前に取得した前記位置情報の取得時刻が、前記周囲環境が水中であると検出した時刻を基準とする所定の範囲内にない場合、前記画像取得部により取得される画像の動画または静止画ファイルを、位置情報の取得用フラグに関連付けて前記記憶部に記憶させる。
【０００７】
１つの態様に係る電子機器は、画像取得部と、自機の位置情報を取得する通信部と、前記画像取得部により取得される画像を表示する表示部と、前記画像取得部により取得される画像を動画または静止画ファイルとして記憶させる記憶部と、ユーザの移動状態を検出するための状態判別センサと、自機の周囲環境が水中であると検出すると、自機を水中モードに設定する制御部と、を有する。前記制御部は、前記画像取得部で画像を取得した場合、自機の周囲環境が水中であることを検出する直前に取得した前記位置情報の取得後の前記ユーザの移動状態を前記状態判別センサに基づいて検出する。前記制御部は、検出した前記ユーザの移動状態に基づいて、自機の周囲環境が水中であることを検出する直前に取得した前記位置情報の確からしさを判定する。前記制御部は、自機の周囲環境が水中であることを検出する直前に取得した前記位置情報の確からしさが所定の範囲を満たす場合、前記画像取得部により取得される画像の動画または静止画ファイルに、自機の周囲環境が水中であることを検出する直前に取得した前記位置情報を関連付けて前記記憶部に記憶させる。前記制御部は、自機の周囲環境が水中であることを検出する直前に取得した前記位置情報の確からしさが所定の範囲にない場合、前記画像取得部により取得される画像の動画または静止画ファイルを、位置情報の取得用フラグに関連付けて前記記憶部に記憶させる。
【０００８】
１つの態様に係る電子機器は、画像取得部と、自機の位置情報を取得する通信部と、前記画像取得部により取得される画像を表示する表示部と、前記画像取得部により取得される画像を動画または静止画ファイルとして記憶させる記憶部と、ユーザの移動状態を検出するための状態判別センサと、自機の周囲環境が水中であると検出すると、自機を水中モードに設定する制御部と、を有する。前記制御部は、前記画像取得部で画像を取得すると、自機の周囲環境が水中であることを検出する直前に取得した前記位置情報の取得後の前記ユーザの移動状態を前記状態判別センサに基づいて検出する。前記制御部は、検出した前記ユーザの移動状態に基づいて、自機の周囲環境が水中であることを検出する直前に取得した前記位置情報の確からしさを判定する。前記制御部は、自機の周囲環境が水中であることを検出する直前に取得した前記位置情報の確からしさが所定の範囲を満たす場合、前記画像取得部により取得される画像の動画または静止画ファイルに、自機の周囲環境が水中であることを検出する直前に取得した前記位置情報を関連付けて前記記憶部に記憶させる。前記制御部は、自機の周囲環境が水中であることを検出する直前に取得した前記位置情報の確からしさが所定の範囲にない場合、前記画像取得部により取得される画像の動画または静止画ファイルを、位置情報の取得用フラグに関連付けて前記記憶部に記憶させる。
【０００９】
１つの態様に係る画像データ保存方法は、水中で使用可能な撮像部を有する電子機器を制御する画像データ保存方法であって、自機の位置情報を取得するステップと、自機が水に浸かっているかを判定し、水に浸かっていると判定すると、水中モードに設定するステップと、前記水中モードの設定中であるとき、画像データを撮影で取得した場合、自機の周囲環境が水中であることを検出する直前に取得した前記位置情報の取得時刻が、前記周囲環境が水中であると検出した時刻を基準とする所定の範囲内にある場合、前記画像取得部により取得される画像の動画または静止画ファイルに、自機の周囲環境が水中であることを検出する直前に取得した前記位置情報を関連付けて記憶させ、自機の周囲環境が水中であることを検出する直前に取得した前記位置情報の取得時刻が、前記周囲環境が水中であると検出した時刻を基準とする所定の範囲内にない場合、前記画像取得部により取得される画像の動画または静止画ファイルと、位置情報の取得用フラグに関連付けて記憶させるステップと、を含む。
【００１０】
１つの態様に係る画像データ保存方法は、水中で使用可能な撮像部を有する電子機器を制御する画像データ保存方法であって、自機の位置情報を取得するステップと、自機が水に浸かっているかを判定し、水に浸かっていると判定すると、水中モードに設定するステップと、前記水中モードの設定中であるとき、画像データを撮影で取得すると、自機の周囲環境が水中であることを検出する直前に取得した前記位置情報の取得後の前記ユーザの移動状態を検出し、検出した前記ユーザの移動状態に基づいて、自機の周囲環境が水中であることを検出する直前に取得した前記位置情報の確からしさを判定し、自機の周囲環境が水中であることを検出する直前に取得した前記位置情報の確からしさが所定の範囲を満たす場合、前記画像取得部により取得される画像の動画または静止画ファイルに、自機の周囲環境が水中であることを検出する直前に取得した前記位置情報を関連付けて前記記憶部に記憶させ、自機の周囲環境が水中であることを検出する直前に取得した前記位置情報の確からしさが所定の範囲にない場合、前記画像取得部により取得される画像の動画または静止画ファイルを、位置情報の取得用フラグに関連付けて記憶させるステップと、を含む。
【００１１】
１つの態様に係る画像データ保存プログラムは、水中で使用可能な撮像部を有する電子機器に自機の位置情報を取得するステップと、自機が水に浸かっているかを判定し、水に浸かっていると判定すると、水中モードに設定するステップと、前記水中モードの設定中であるとき、画像データを撮影で取得すると、自機の周囲環境が水中であることを検出する直前に取得した前記位置情報の取得時刻が、前記周囲環境が水中であると検出した時刻を基準とする所定の範囲内にある場合、前記画像取得部により取得される画像の動画または静止画ファイルに、自機の周囲環境が水中であることを検出する直前に取得した前記位置情報を関連付けて記憶させ、自機の周囲環境が水中であることを検出する直前に取得した前記位置情報の取得時刻が、前記周囲環境が水中であると検出した時刻を基準とする所定の範囲内にない場合、前記画像取得部により取得される画像の動画または静止画ファイルを、位置情報の取得用フラグに関連付けて記憶させるステップと、を実行させる。
【００１２】
１つの態様に係る画像データ保存プログラムは、水中で使用可能な撮像部を有する電子機器に、自機の位置情報を取得するステップと、自機が水に浸かっているかを判定し、水に浸かっていると判定すると、水中モードに設定するステップと、前記水中モードの設定中であるとき、画像データを撮影で取得すると、自機の周囲環境が水中であることを検出する直前に取得した前記位置情報の取得後の前記ユーザの移動状態を検出し、検出した前記ユーザの移動状態に基づいて、自機の周囲環境が水中であることを検出する直前に取得した前記位置情報の確からしさを判定し、自機の周囲環境が水中であることを検出する直前に取得した前記位置情報の確からしさが所定の範囲を満たす場合、前記画像取得部により取得される画像の動画または静止画ファイルに、自機の周囲環境が水中であることを検出する直前に取得した前記位置情報を関連付けて前記記憶部に記憶させ、自機の周囲環境が水中であることを検出する直前に取得した前記位置情報の確からしさが所定の範囲にない場合、前記画像取得部により取得される画像の動画または静止画ファイルを、位置情報の取得用フラグに関連付けて記憶させるステップと、を実行させる。
【図面の簡単な説明】
【００１３】
【図１】図１は、実施形態に係るスマートフォンの斜視図である。
【図２】図２は、スマートフォンの正面図である。
【図３】図３は、スマートフォンの背面図である。
【図４】図４は、スマートフォンのブロック図である。
【図５】図５は、実施形態に係るスマートフォンが行う制御の水に浸かっているかの判定の一例を示すフローチャートである。
【図６】図６は、気圧センサの検出結果の一例を示すグラフである。
【図７】図７は、実施形態に係るスマートフォンが行う制御の一例を示すフローチャートである。
【図８】図８は、実施形態に係るスマートフォンが行う制御の一例を示すフローチャートである。
【図９】図９は、実施形態に係るスマートフォンが行う制御の一例を示すフローチャートである。
【発明を実施するための形態】
【００１４】
本発明を実施するための実施形態を、図面を参照しつつ詳細に説明する。以下では、タッチスクリーンを備える装置の例として、スマートフォンについて説明する。
【００１５】
図１から図３を参照しながら、実施形態に係るスマートフォン１の全体的な構成について説明する。図１から図３に示すように、スマートフォン１は、ハウジング２０を有する。ハウジング２０は、内部に水が浸入することを抑える構造である。ハウジング２０は、防水性を備えている構造である。具体的には、ハウジング２０は、内部と外部とが繋がる穴には、空気を通し、かつ、水を通さない機構が設けられている。ハウジング２０が複数の部材で形成されている場合、ハウジング２０は、複数の部材の境界にゴムパッキンまたは接着材がある。接着材は、複数の部材を接着している。部材は、境界が密閉されている。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１６】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１７】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形または円形等のどのような形状もとりうる。図１の例では、ディスプレイ２Ａ及びタッチスクリーン２Ｂは重なって位置しているが、ディスプレイ２Ａ及びタッチスクリーン２Ｂの位置はこれに限定されない。ディスプレイ２Ａ及びタッチスクリーン２Ｂは、例えば、並んで位置してもよいし、離れて位置してもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１８】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、または無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等のオブジェクトを表示できる。
【００１９】
タッチスクリーン２Ｂは、タッチスクリーン２Ｂに対する指、ペン、またはスタイラスペン等の接触を検出する。タッチスクリーン２Ｂは、複数の指、ペン、またはスタイラスペン等がタッチスクリーン２Ｂに接触した位置を検出することができる。以下の説明では、タッチスクリーン２Ｂに対して接触する指、ペン、またはスタイラスペン等を、「接触オブジェクト」または「接触物」と呼ぶことがある。
【００２０】
タッチスクリーン２Ｂの検出方式は、静電容量方式、抵抗膜方式、表面弾性波方式、赤外線方式、及び荷重検出方式等の任意の方式でよい。以下の説明では、説明を簡単にするため、利用者はスマートフォン１を操作するために指を用いてタッチスクリーン２Ｂに接触するものと想定する。
【００２１】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００２２】
図４は、スマートフォン１のブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７と、磁気センサ１８と、気圧センサ１９と、位置検出センサ３０と、を有する。
【００２３】
タッチスクリーンディスプレイ２は、上述したように、ディスプレイ２Ａと、タッチスクリーン２Ｂとを有する。ディスプレイ２Ａは、文字、画像、記号、または図形等を表示する。タッチスクリーン２Ｂは、接触を検出する。コントローラ１０は、スマートフォン１に対するジェスチャを検出する。具体的には、コントローラ１０は、タッチスクリーン２Ｂと協働することによって、タッチスクリーン２Ｂ（タッチスクリーンディスプレイ２）に対する操作（ジェスチャ）を検出する。
【００２４】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００２５】
ボタン３Ａ〜３Ｃは、例えば、ホームボタン、バックボタンまたはメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００２６】
照度センサ４は、スマートフォン１の周囲光の照度を検出する。照度は、照度センサ４の測定面の単位面積に入射する光束の値である。照度センサ４は、例えば、ディスプレイ２Ａの輝度の調整に用いられる。近接センサ５は、近隣の物体の存在を非接触で検出する。近接センサ５は、磁界の変化または超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００２７】
通信ユニット６は、無線により通信する。通信ユニット６によってサポートされる通信方式は、無線通信規格が含まれる。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｇＢｅｅ（登録商標）が含まれる。通信ユニット６は、上述した通信規格の１つまたは複数をサポートしていてもよい。通信ユニット６は、有線による通信をサポートしてもよい。有線による通信は、例えば、イーサネット（登録商標）、ファイバーチャネル等を含む。
【００２８】
レシーバ７及びスピーカ１１は、音出力部である。レシーバ７及びスピーカ１１は、コントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換してコントローラ１０へ送信する。
【００２９】
ストレージ９は、プログラム及びデータを記憶する。ストレージ９は、コントローラ１０の処理結果を一時的に記憶する作業領域としても利用してもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、または光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３０】
ストレージ９に記憶されるプログラムには、フォアグランドまたはバックグランドで実行されるアプリケーションと、アプリケーションの動作を支援する制御プログラムとが含まれる。アプリケーションは、例えば、ディスプレイ２Ａに画面を表示させ、タッチスクリーン２Ｂを介して検出されるジェスチャに応じた処理をコントローラ１０に実行させる。制御プログラムは、例えば、ＯＳが含まれる。アプリケーション及び制御プログラムは、通信ユニット６による通信または非一過的な記憶媒体を介してストレージ９にインストールされてもよい。
【００３１】
ストレージ９は、例えば、制御プログラム９Ａ、気圧データ９Ｂ、移動状態データ９Ｃ、設定データ９Ｄ、画像データ９Ｅ及び位置データ９Ｆを記憶する。気圧データ９Ｂは、気圧センサ１９の検出結果とスマートフォン１の状態との関係に関する情報を含む。気圧データ９Ｂは、予め試験やシミュレーション等によって検出した、気圧センサ１９の検出結果と水に浸かっているか否かを判定する基準との関係を記憶している。移動状態データ９Ｃは、利用者の移動方法の推定に用いられる情報を含む。移動状態データ９Ｃは、予め試験やシミュレーション等によって検出した、センサの検出結果と移動方法との対応関係を記憶している。設定データ９Ｄは、スマートフォン１の動作に関する各種の設定に関する情報を含む。画像データ９Ｅは、自機で取得した画像データを記憶している。画像データは、静止画ファイルと動画ファイルの両方を含む。また、画像データ９Ｅは、画像に加え、画像に対応付けられた音声のデータを合わせて記憶することができる。画像データ９Ｅは、画像に加え、画像に対応付けられた位置情報のデータを合わせて記憶することができる。位置データ９Ｆは、検出した自機の位置情報のデータを記憶している。位置データ９Ｆは、新しい位置情報を取得した場合、前の位置情報を消去しても、位置情報と日時とを対応付けて履歴を記憶してもよい。
【００３２】
制御プログラム９Ａは、スマートフォン１を稼働させるための各種制御に関する機能を提供できる。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能は、メールアプリケーション等の他のプログラムが提供する機能と組み合わせて利用してもよい。
【００３３】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、スマートフォン１の動作を統括的に制御して各種の機能を実現する。
【００３４】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、レシーバ７、及びスピーカ１１の少なくとも１つを含んでもよいが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６、ジャイロスコープ１７、磁気センサ１８及び気圧センサ１９の少なくとも１つを含んでもよいが、これらに限定されない。
【００３５】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行してもよい。
【００３６】
カメラ１２は、フロントフェイス１Ａに面している物体を撮影するインカメラである。カメラ１３は、バックフェイス１Ｂに面している物体を撮影するアウトカメラである。
【００３７】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００３８】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。磁気センサ１８は、スマートフォン１の周囲の磁力を検出する。気圧センサ１９は、スマートフォン１の外側の気圧（大気圧）を検出する。気圧センサ１９は、ハウジング２０の内部に位置している。ハウジング２０は、水は通過させないが空気を通過させる穴で内部と外部の気圧が連動している。これにより、気圧センサ１９は、内部に位置した状態で、スマートフォン１の外側の気圧を検出することができる。加速度センサ１５、方位センサ１６及びジャイロスコープ１７の検出結果は、スマートフォン１の位置及び姿勢の変化を検出するために、組み合わせて利用してもよい。
【００３９】
位置検出センサ２０は、携帯電子機器１の現在位置、つまり自機の現在位置を測定する。位置検出センサ２０は、他の機器との通信を行い、自機の現在位置を測定する。位置検出センサ２０は、ＧＰＳ又はＧＬＯＮＡＳＳ等の衛星測位システムを利用して、現在位置を測定する。位置検出センサ２０は、衛星測位システムに代えて、又はこれに加えて、他の方式で現在位置を測定してもよい。例えば、位置検出センサ２０は、通信ユニット６が受信している電波及びその電波を発信している無線基地局に基づいて、現在位置を測定してもよい。位置検出センサ２０は、現在位置を測定するために、加速度センサ、地磁気センサ、ジャイロスコープ、及び方位センサ等の各種センサを補助的に用いてもよい。
【００４０】
図４においてストレージ９が記憶するプログラム及びデータの一部または全部は、通信ユニット６による通信で他の装置からダウンロードされてもよい。図４においてストレージ９が記憶するプログラム及びデータの一部または全部は、ストレージ９に含まれる読み取り装置が読み取り可能な非一過的な記憶媒体に記憶されていてもよい。図４においてストレージ９が記憶するプログラム及びデータの一部または全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００４１】
図４に示したスマートフォン１の構成は例であり、本発明の要旨を損なわない範囲において適宜変更してよい。例えば、ボタン３の数と種類は図４の例に限定されない。スマートフォン１は、画面に関する操作のためのボタンとして、ボタン３Ａ〜３Ｃに代えて、テンキー配列またはＱＷＥＲＴＹ配列等のボタンを備えていてもよい。スマートフォン１は、画面に関する操作のために、ボタンを１つだけ備えてもよいし、ボタンを備えなくてもよい。図４に示した例では、スマートフォン１が２つのカメラを備えるが、スマートフォン１は、１つのカメラのみを備えてもよい。図４に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００４２】
次に、図５から図９を参照して、スマートフォン１が実行している制御について説明する。図５は、実施形態に係るスマートフォンが行う制御の水に浸かっているかの判定の一例を示すフローチャートである。図６は、気圧センサの検出結果の一例を示すグラフである。図７から図９は、実施形態に係るスマートフォンが行う制御の一例を示すフローチャートである。図８は、図７に示す位置情報補正の添付処理の一例を示している。
【００４３】
スマートフォン１が水に浸かっているとは、スマートフォン１が水面以下の位置にあることである。スマートフォン１が水に浸かっているとは、スマートフォン１の周囲が水に覆われている状態、すなわち、ハウジング２０の外周が水に接している状態である。
【００４４】
まず、図５を用いて、スマートフォン１が水に浸かっているか否かの判定の一例を説明する。コントローラ１０は、ステップＳ５２として、気圧センサ１９の検出結果に基づいて、水に浸かっているかを判定する。図６に示すように気圧センサ１９が検出する値は、スマートフォン（端末）１が水に浸かると値が上昇する。コントローラ１０は、気圧データ９Ｂに記憶されているデータと気圧の値の変化に基づいて、水に浸かっているか否かを判定する。コントローラ１０は、例えば、設定された時間間隔の間に生じる気圧の変化が設定した閾値以上の場合、水に浸かっていない状態から水に浸かっている状態に変化したと判定する。
【００４５】
コントローラ１０は、気圧センサ１９の結果に基づいて、ステップＳ５４として、自機が水に浸かっているかを判定する。コントローラ１０は、水に浸かっている（ステップＳ５４でＹｅｓ）と判定した場合、ステップＳ６２に進む。コントローラ１０は、水に浸かっていない（ステップＳ５４でＮｏ）と判定した場合、ステップＳ５６として、タッチスクリーン２Ｂの状態に基づいて水に浸かっているかを判定する。コントローラ１０は、タッチスクリーン２Ｂが検出した接触点及び接触点における出力値に基づいて水に浸かっているかを判定する。コントローラ１０は、水に浸かっている（ステップＳ５８でＹｅｓ）と判定した場合、ステップＳ６２に進む。コントローラ１０は、水に浸かっていない（ステップＳ５８でＮｏ）と判定した場合、ステップＳ６０として、水に浸かっていない旨の判定結果を出力する。コントローラ１０は、ステップＳ５４でＹｅｓ、ステップＳ５８でＹｅｓと判定した場合、ステップＳ６２として、水に浸かっている旨の判定結果を出力する。
【００４６】
また、コントローラ１０は、ステップＳ５８の処理を一定時間繰り返し実行してもよい。また、コントローラ１０で水に浸かっているかを判定する方法は上記に限定されない。コントローラ１０は、気圧センサ１９の結果のみに基づいて、水に浸かっているかを判定してもよいし、タッチスクリーン２Ｂの結果のみに基づいて水に浸かっているかを判定してもよいし、他のセンサの検出結果に基づいて水に浸かっているかを判定してもよい。
【００４７】
コントローラ１０は、水に浸かっている旨の判定が出力した場合、制御のモードを水中モードに切り換え、水に浸かっていない旨の判定が出力した場合、制御のモードを地上モードに切り換える。コントローラ１０は、モードが水中モードか地上モードかで実行する処理や、処理を実行する際の条件を切り換える。
【００４８】
また、コントローラ１０は、設定に基づいて、位置検出センサ３０を用いて位置情報を取得している。コントローラ１０は、位置情報を周期的に検出する設定の場合、周期が経過するごとに位置検出センサ３０を用いて位置情報を取得している。コントローラ１０は、位置情報を周期的に検出しない設定の場合、各種機能の実行で位置情報が必要になった場合、位置検出センサ３０を用いて位置情報を取得している。
【００４９】
次に、図７及び図８を用いて、撮影機能、つまりカメラ１２またはカメラ１３を用いて動画、静止画を含む画像を撮影で取得する際に実行する処理の一例を説明する。まず、コントローラ１０は、ユーザの操作によりまたは設定によりカメラ機能を起動させる指示を検出した場合、カメラ機能を起動させる（ステップＳ１０２）。
【００５０】
コントローラ１０は、撮影指示を検出したかを判定する（ステップＳ１０４）。コントローラ１０は、撮影指示を検出していない（ステップＳ１０４でＮｏ）と判定した場合、ステップＳ１０４に戻る。また、コントローラ１０は、別途カメラ機能の終了の指示を検出した場合、本処理を終了する。
【００５１】
コントローラ１０は、撮影指示を検出した（ステップＳ１０４でＹｅｓ）と判定した場合、撮影画像を取得し（ステップＳ１０６）、位置情報の添付設定があるかを判定する（ステップＳ１０８）。位置情報の添付とは、撮像した画像のデータに、当該画像を撮像した位置を示す情報を添付する処理である。位置情報は、画像のデータに関連付けて記憶させることができる。
【００５２】
コントローラ１０は、位置情報の添付設定がない（ステップＳ１０８でＮｏ）と判定した場合、位置を対応付けずに画像をストレージ９に保存し（ステップＳ１１０）、処理を終了する。
【００５３】
コントローラ１０は、位置情報の添付設定がある（ステップＳ１０８でＹｅｓ）と判定した場合、水に浸かっているかを判定する（ステップＳ１１４）。つまり、コントローラ１０は、水中モードであるかを判定する。コントローラ１０は、水に浸かっていない（ステップＳ１１４でＮｏ）、つまり地上モードであると判定した場合、位置情報を取得する（ステップＳ１１６）。具体的には、位置検出センサ３０で、位置情報を取得する。
【００５４】
コントローラ１０は、水に浸かっている（ステップＳ１１４でＹｅｓ）、つまり水中モードであると判定した場合、位置情報の取得処理を実行する（ステップＳ１１８）。具体的には、位置検出センサ３０で、位置情報を取得する処理を実行する。
【００５５】
コントローラ１０は、位置情報の取得処理を実行したら、位置情報を取得できたかを判定する（ステップＳ１２０）。コントローラ１０は、位置情報を取得できた（ステップＳ１２０でＹｅｓ）と判定した場合、ステップＳ１２２に進む。コントローラ１０は、ステップＳ１２０でＹｅｓと判定した場合、またはステップＳ１１６の処理を行った場合、位置情報を画像に添付してストレージ９に保存し（ステップＳ１２２）、本処理を終了する。コントローラ１０は、位置情報を取得できていない（ステップＳ１２０でＮｏ）と判定した場合、位置情報補正添付処理を実行する（ステップＳ１２４）。
【００５６】
以下、図８を用いて、位置情報の補正における添付処理を説明する。コントローラ１０は、事前に取得した位置情報があるかを判定する（ステップＳ１５０）。事前に取得した位置情報とは、事前に取得した位置情報があるかの判定をする時刻から直近で取得した位置情報であり、他のアプリケーションの実行のために取得した位置情報でも、直前に撮影した画像のために取得した位置情報でもよい。
【００５７】
コントローラ１０は、事前に取得した位置情報がない（ステップＳ１５０でＮｏ）と判定した場合、ステップＳ１６２に進む。コントローラ１０は、事前に取得した位置情報がある（ステップＳ１５０でＹｅｓ）と判定した場合、位置情報取得時刻と、現在時刻とを対比する（ステップＳ１５２）。具体的には、事前に取得した位置情報を取得した時刻と、現在時刻との対比を行う。なお、事前に取得した位置情報が複数あるときには、最新に取得した位置情報を比較対象とすればよい。
【００５８】
コントローラ１０は、位置情報の取得時刻の対比を行った後、移動情報と閾値との対比を行う（ステップＳ１５４）。ここで、コントローラ１０は、加速度センサ１５、磁気センサ１８、気圧センサ１９の検出結果を取得し、取得した結果に基づいて移動情報を取得する。移動情報は、自機のユーザがどの移動状態でどれくらい移動したかの情報である。コントローラ１０は、加速度センサ１５、磁気センサ１８及び気圧センサ１９の検出結果と、移動状態データ９Ｃに記憶されているパターンの情報とを比較し、比較結果から移動状態（移動方法）を推定する。パターンの情報は、例えば、移動状態に関連する各種センサに対応するデータである。また、コントローラ１０は、移動状態を繰り返し推定し、推定する移動状態が同じ移動状態で継続している時間と、推定する移動状態の一般的な移動速度と、に基づいて移動距離を推定してもよい。
【００５９】
コントローラ１０は、移動状態として、例えば、歩行による移動か、走行による移動か、自転車に乗っての移動か、自動車に乗っての移動か、電車に乗っての移動か、飛行機に乗っての移動か、等の判定をしてもよい。具体的には、コントローラ１０は、加速度センサ１５による移動状態の検出アルゴリズムの一つとして、例えば、人が歩行している場合、人が走行している場合、自転車に乗っている場合、自動車及び電車等の乗り物に乗っている場合に、それぞれ、加速度センサ１５により検出される加速度の振幅及び振動周期が異なることを利用できる。コントローラ１０は、この加速度センサ１５に係る検出アルゴリズムを利用する場合、所定の期間の加速度を取得して、所定の期間における連続的な振幅及び振動周期が、各移動状態における加速度の振幅及び振動周期のパターンの情報に、所定の確からしさの範囲で一致するか否かを判定すればよい。このようにすることで、コントローラ１０は、移動状態が、歩行による移動か、走行による移動か、自転車に乗っての移動か、自動車及び電車等の乗り物に乗っての移動か、を推定できる。コントローラ１０は、磁気センサ１８による移動状態の検出アルゴリズムの一つとして、電車に乗っている場合に、地磁気センサ１８より検出される磁力が通常より大きく変化することを利用すればよい。コントローラ１０は、自動車及び電車等の乗り物に乗っての移動であると推定するときにこの磁気センサ１８に係る検出アルゴリズムを利用する場合、取得した磁力の変化が、電車に乗っている場合に検出される磁力の変化のパターンの情報に所定の確からしさの範囲で一致するか否かで、移動状態が電車に乗っている状態か、自動車等の乗り物に乗っている状態か、を推定できる。コントローラ１０は、気圧センサ１９による移動状態の検出アルゴリズムの一つとして、飛行機に乗っている場合に、飛行機の離陸の際に気圧センサ１９より検出される気圧の大きさが通常より大きく変化することを利用すればよい。コントローラ１０は、取得した所定の期間の加速度が、各移動状態における加速度の振幅及び振動周期のパターンの情報に所定の確からしさの範囲で一致しないときにこの気圧センサ１９に係る検出アルゴリズムを利用する場合、取得した気圧の大きさの変化が、飛行機に乗っている場合に検出される気圧の変化のパターンの情報に所定の確度で一致するか否かで、移動状態が飛行機に乗っている状態か、移動状態には無いか、を推定できる。
【００６０】
コントローラ１０は、事前に取得した位置情報を取得した時点以降の移動情報を検出する。すなわち、コントローラ１０は、事前に取得した位置情報を取得した位置から現在の位置までの移動距離を推定することができる。そして、コントローラ１０は、移動情報と閾値との対比を行う（ステップＳ１５４）。コントローラ１０は、ステップＳ１５２の処理と、ステップＳ１５４の処理を並行して行っても、逆の順番で行ってもよい。
【００６１】
コントローラ１０は、直前に取得した位置情報の確からしさを判定する。つまり、コントローラ１０は、事前に取得した位置情報を取得した時刻から現在時刻までの経過時間、事前に取得した位置情報を取得してから現在の位置までの移動距離がともに閾値以下であるかを判定する（ステップＳ１５６）。具体的に、コントローラ１０は、ステップＳ１５２において、移動情報を取得した時刻から現在時刻までの経過時間が閾値以下であり、かつ、ステップＳ１５４において、位置情報を取得してからの移動距離が閾値以下であるかを判定する。閾値は、予めストレージ９の設定データ９Ｄに記憶しておけばよい。
【００６２】
コントローラ１０は、経過時間、移動距離ともに閾値以下である（ステップＳ１５６でＹｅｓ）と判定した場合、事前に取得した位置情報を画像に紐付け（ステップＳ１５８）、撮影画像を保存し（ステップＳ１６０）、本処理を終了する。
【００６３】
次に、コントローラ１０は、経過時間、移動距離の少なくとも一方が閾値よりも高い（ステップＳ１５６でＮｏ）と判定した場合、ステップＳ１６２に進む。コントローラ１０は、ステップＳ１５０またはステップＳ１５６でＮｏと判定した場合、撮影画像に位置情報の取得用フラグを添付し（ステップＳ１６２）、撮影画像を保存し（ステップＳ１６４）、本処理を終了する。ここで、位置情報の取得用フラグとは、水中モードでなくなった場合に位置情報を取得する処理を実行する対象であることを示す識別情報である。なお、コントローラ１０は、画像データの保存後にカメラの機能が終了されない場合、ステップＳ１２４の処理に戻る。なお、コントローラ１０は、撮影画像に位置情報の取得用フラグを添付することで撮影画像を位置情報の取得用フラグに関連付けたが、ストレージ９にテーブルを保存して、当該テーブルを用いて撮影画像と、位置情報の取得用フラグと、を関連付けてもよい。
【００６４】
次に、図９の処理を説明する。図９の処理は、水中モードの際に実行される。コントローラ１０は、水中モードでなくなったことを検出（ステップＳ１６６）、つまり、自機が水に浸かっていないことを検出し、地上モードに切り換えることを検出する。その後、コントローラ１０は、撮影画像を検索し（ステップＳ１６８）、位置情報の取得用フラグの添付画像があるかを判定する（ステップＳ１７０）。
【００６５】
コントローラ１０は、位置情報の取得用フラグの添付画像がない（ステップＳ１７０でＮｏ）と判定した場合、本処理を終了する。コントローラ１０は、位置情報の取得用フラグの添付画像がある（ステップＳ１７０でＹｅｓ）と判定した場合、位置情報の取得処理を実行し（ステップＳ１７２）、フラグのついた画像に位置情報を添付して保存し（ステップＳ１７４）、本処理を終了する。
【００６６】
コントローラ１０は、以上のように、カメラ機能で撮影画像（動画または静止画）を取得した時点で水中モードの場合、位置情報の取得状況に基づいて、対応付ける位置情報を切り換えることで、より信頼性の高い位置情報を画像に添付することができる。これにより、画像データの利便性を高くすることができる。
【００６７】
具体的には、コントローラ１０は、事前に検出した位置情報が閾値時間より前である場合、事前に検出した位置情報を画像に対応付けず、位置情報の取得用フラグを対応付ける。これにより、コントローラ１０は、水中モードから地上モードに切り換わった時点での位置情報を画像に対応付けることができる。
【００６８】
また、コントローラ１０は、事前に検出した位置情報が閾値時間より前である場合、事前に検出した位置情報を画像に対応付けず、位置情報の取得用フラグを対応付ける。これにより、コントローラ１０は、水中モードから地上モードに切り換わった時点での位置情報を画像に対応付けることができる。
【００６９】
また、本実施形態では、事前に検出した位置情報を用いるか否かを、事前に検出した位置情報の検出時点からの移動情報及び時間に基づいて判定を行ったがいずれか一方のみを用いてもよい。
【００７０】
また、コントローラ１０は、位置情報の取得用フラグがある場合、水中モードから地上モードに切り換わった時点での位置情報を画像に対応付けることで、水中で撮影した画像データに位置情報を好適に対応付けることができる。
【００７１】
ここで、コントローラ１０は、位置情報の取得用フラグを対応付ける場合、画像データに位置情報を関連付けても、関連付けなくてもよい。コントローラ１０は、画像データに位置情報を関連付けずに記憶した場合、自機の周囲環境が水中でないと検出した後に取得した自機の位置情報を、水中モードの設定中に記憶部に記憶した画像データに関連付ける。コントローラ１０は、画像データに位置情報を関連付けて記憶させる場合は、自機の周囲環境が水中でないと検出した後に取得した自機の位置情報を、事前に取得した位置情報に上書きで関連付ける。コントローラ１０は、自機の周囲環境が水中でないと検出した後に取得した自機の位置情報を画像データのコピーに関連付けてもよい。このように、コントローラ１０は、位置情報の取得用フラグを対応付ける場合も事前に取得した位置情報を取得することで、水中モードから地上モードに切り換わった後に、位置情報を取得できなかった場合に位置情報を対応付けることができる。また、コントローラ１０は、水中モードの前後の２つの位置情報を対応付けることもできる。
【００７２】
また、上記実施形態では、事前に検出した位置情報の状態に応じて、撮影した画像データに事前に検出した位置情報を対応付けるか位置情報の取得用フラグを付けるかを切り換えたが、これに限定されない。コントローラ１０は、画像データに対して、事前に検出した位置情報を関連付けずに、常に、水中モードから地上モードに切り換わった際に取得した位置情報を関連付けてもよい。つまり、上記処理フローでは水中モードで撮影した画像データに常に位置情報の取得用フラグを付けるようにしてもよい。これにより、コントローラ１０は水中モードで位置情報を取得する処理や、実行する判定処理を少なくすることができ、コントローラ１０の処理能力に対する負担を低減することができる。
【００７３】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【００７４】
例えば、図４に示した各プログラムは、複数のモジュールに分割されていてもよいし、他のプログラムと結合されていてもよい。
【００７５】
また、スマートフォン１は、ストレージ９に画像データを記憶させたが、ストレージ９への画像データの記憶は一次記憶とし、記憶媒体や、通信を介して接続した記憶サーバに画像データを記憶させるようにしてもよい。
【００７６】
上記の実施形態では、タッチスクリーンを備える装置の例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機を含むが、これらに限定されない。
【００７７】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【００７８】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  気圧データ
９Ｃ  移動状態データ
９Ｄ  設定データ
１０  コントローラ
１１  スピーカ
１２、１３  カメラ
１４  コネクタ
１５  加速度センサ
１６  方位センサ
１７  ジャイロスコープ
１８  磁気センサ
１９  気圧センサ
２０  ハウジング
３０  位置検出センサ
【図１】
0006476082.tif 000002
【図２】
0006476082.tif 000003
【図３】
0006476082.tif 000004
【図４】
0006476082.tif 000005
【図５】
0006476082.tif 000006
【図６】
0006476082.tif 000007
【図７】
0006476082.tif 000008
【図８】
0006476082.tif 000009
【図９】
0006476082.tif 000010